(57)【要約】【課題】リーダ・ライタ装置を備える携帯端末を使って、処理サーバ装置にアクセスする処理システムにおいて、不正なアクセスを抑制して、安全性の高い処理システムを提供する。また、かかる処理システムを構成する処理サーバ装置並びにプログラムを提供する。【解決手段】処理サーバ装置１に、携帯端末に固有の識別子と非接触型ＩＣカードに固有の識別子とのペアを、事前に登録する識別情報登録部１０５と、前記携帯端末からアクセス要求があった場合に、当該携帯端末に固有の識別子と、当該携帯端末に装着された非接触型ＩＣカードに固有の識別子のペアを、前記識別子登録手段に登録された情報と照合して、当該ペアが前記識別子登録手段に記録されている場合に、当該携帯端末によるアクセスを許可するアクセス許可部１０１と、を備える。【選択図】図６
2010257432.tif 000002
【特許請求の範囲】
【請求項１】
少なくとも、非接触型ＩＣカード用のリーダ・ライタ装置を有する携帯端末と、通信回線を介して前記携帯端末に接続される処理サーバ装置と、を含む処理システムにおいて、
前記処理サーバ装置は、
携帯端末に固有の識別子と非接触型ＩＣカードに固有の識別子とのペアを、事前に登録する識別子登録手段と、
前記携帯端末からアクセス要求があった場合に、当該携帯端末に固有の識別子と、当該携帯端末に装着された非接触型ＩＣカードに固有の識別子のペアを、前記識別子登録手段に登録された情報と照合して、当該ペアが前記識別子登録手段に登録されている場合に、当該携帯端末によるアクセスを許可するアクセス許可手段と、を備える
ことを特徴とする処理システム。
【請求項２】
前記処理サーバ装置は、
前記非接触型ＩＣカードに固有の情報を記録する情報記録手段と、
前記携帯端末から要求があった場合に、当該携帯端末に装着された非接触型ＩＣカードに固有の情報を前記情報記録手段が読み出して、前記携帯端末に送信する情報送信手段と、を備える
ことを特徴とする請求項１に記載の処理システム。
【請求項３】
前記非接触型ＩＣカードに固有の情報は、価値情報である
ことを特徴とする請求項２に記載の処理システム。
【請求項４】
前記非接触型ＩＣカードに固有の情報は、付加情報である
ことを特徴とする請求項２に記載の処理システム。
【請求項５】
前記付加情報は、非接触型ＩＣカードの利用に応じて付加されるプレミアムポイントである
ことを特徴とする請求項３に記載の処理システム。
【請求項６】
前記処理サーバ装置は、
ある非接触型ＩＣカードを装着した携帯端末が前記処理サーバ装置にアクセスした場合に、当該携帯端末から要求があった場合に、当該非接触型ＩＣカードに付与されているプレミアムポイントを前記情報記録手段から読み出して、当該プレミアムポイントを、当該後にアクセスされた携帯端末に装着された別の非接触型ＩＣカードのプレミアムポイントとして、前記情報記録手段に書き込むポイント付け替え手段を備える
ことを特徴とする請求項５に記載の処理システム。
【請求項７】
通信回線を介して、非接触型ＩＣカード用のリーダ・ライタ装置を有する携帯端末に接続される処理サーバ装置において、
携帯端末に固有の識別子と非接触型ＩＣカードに固有の識別子とのペアを、事前に登録する識別子登録手段と、
前記携帯端末からアクセス要求があった場合に、当該携帯端末に固有の識別子と、当該携帯端末に装着された非接触型ＩＣカードに固有の識別子のペアを、前記識別子登録手段に登録された情報と照合して、当該ペアが前記識別子登録手段に登録されている場合に、当該携帯端末によるアクセスを許可するアクセス許可手段と、を備える
ことを特徴とする処理サーバ装置。
【請求項８】
通信回線を介して、非接触型ＩＣカード用のリーダ・ライタ装置を有する携帯端末に接続されるコンピュータにインストールされて、
当該コンピュータを、
携帯端末に固有の識別子と非接触型ＩＣカードに固有の識別子とのペアを、事前に登録する識別子登録手段と、
前記携帯端末からアクセス要求があった場合に、当該携帯端末に固有の識別子と、当該携帯端末に装着された非接触型ＩＣカードに固有の識別子のペアを、前記識別子登録手段に登録された情報と照合して、当該ペアが前記識別子登録手段に登録されている場合に、当該携帯端末によるアクセスを許可するアクセス許可手段と、を備える処理サーバ装置として機能させる
ことを特徴とするプログラム。
【発明の詳細な説明】
【技術分野】
【０００１】
本発明は、非接触型ＩＣカード用のリーダ・ライタ装置を有する携帯端末と、通信回線を介して該携帯端末に接続される処理サーバ装置とを含む処理システム、及び、該処理システムを構成する処理サーバ装置、並びに、コンピュータにインストールされて当該コンピュータを該処理サーバ装置として機能させるプログラムに関する。
【背景技術】
【０００２】
非接触型ＩＣカード（例えば  ＦｅｌｉＣａ（登録商標））は、読み出し・書き込み装置（リーダ・ライタ装置）との間で無線通信を行う手段を内蔵したＩＣカードであり、リーダ・ライタ装置を使ってカードに内蔵された半導体メモリに情報を書き込み、該半導体メモリに記録された情報を読み出すことができる。
【０００３】
そのため、非接触型ＩＣカードは電子マネー（例えば、ＥｄｙやＳｕｉｃａ（いずれも登録商標））用の記録媒体として広く普及している。つまり、非接触型ＩＣカードに、電子マネーとして利用する金額に関する情報（以下、「価値情報」という）を記録することが、広く行われている。
【０００４】
電子マネーの利用者は、電子マネーシステムを運営する事業者が設置する自動チャージ機を使って、価値情報を非接触型ＩＣカードに記録して（チャージして）いる。また、電子マネーによる支払いは、支払先の店舗等に設置されたディスチャージ機を使って、非接触型ＩＣカードに記録された価値情報を書き換えて行っている。利用者が自分の非接触型ＩＣカードの利用可能金額（残額）を確認する場合も、自動チャージ機を使う必要がある。
【０００５】
また、電子マネーシステムを運営する事業者が、来店回数や購入金額に応じた便益（例えば、値引きや景品の提供）を利用者に供与するために、電子マネーの使用実績（使用回数、使用金額）に応じたポイントを非接触型ＩＣカードに記録することがある。また、異なる事業者から付与されたポイントを相互に付け替えて、利用した店舗等とは別の店舗等で便益の提供を受けられるようなサービス（例えば、家電量販店での買い物で貯めたポイントを、レンタルビデオ店のポイントに付け替えて、ＤＶＤのレンタル料金の値引きを受けるサービス）もある。このような、ポイントの記録や付け替えも、自動チャージ機やディスチャージ機で行われる。以下、非接触型ＩＣカードの使用実績に応じて非接触型ＩＣカードに記録されて、何らかの便益と交換されるポイントを「プレミアムポイント」ということにする。
【０００６】
また、非接触型ＩＣカードには、その電子マネーの利用者（非接触型ＩＣカードの所有者）の氏名、住所、電話番号等の情報（以下、「利用者情報」という）を記録することがある。また、その他の情報を非接触型ＩＣカードに記録することもある。そして、このような利用者情報やその他の情報を確認する場合にも、自動チャージ機等を利用する必要がある。なお、本明細書では、利用者情報及びその他の情報（つまり、非接触型ＩＣカードに記録される情報のうち、価値情報以外のものを総称して）を「付加情報」ということにする。
【０００７】
このように、非接触型ＩＣカードには、価値情報に加えて、各種のデータが記録されているが、利用者は自分の非接触型ＩＣカードに記録された情報にアクセスするために、自動チャージ機等が設置された場所に赴く必要があるので、非常に煩わしい。そこで、リーダ・ライタ装置を備える携帯電話機を使って、非接触型ＩＣカードに記録された情報にアクセスするシステム等が各種、提案されている。
【０００８】
例えば、特許文献１では、携帯電話機に非接触型ＩＣカード用のリーダ・ライタ装置を備えて、銀行のコンピュータシステムと通信して、価値情報を銀行の預金口座から非接触型ＩＣカードにチャージするシステムを提案している。
【０００９】
また、特許文献２では、リーダ・ライタ装置を備えた携帯電話機を使って携帯電話会社が運営するインターネットサイトにアクセスして、該インターネットサイトから価値情報を携帯電話機にダウンロードし、更に該情報を非接触型ＩＣカードにチャージするシステムを提案している。なお、チャージされた価値情報に相当する金額は、通話料金に上乗せされて、後日、携帯電話会社から利用者に請求される。
【先行技術文献】
【特許文献】
【００１０】
【特許文献１】特開２０００−２２２４９８号公報
【特許文献２】特開２００５−１９０１５１号公報
【発明の概要】
【発明が解決しようとする課題】
【００１１】
特許文献１及び特許文献２に記載のシステムは、非接触型ＩＣカード用のリーダ・ライタ装置を備えた携帯電話機を使って、非接触型ＩＣカードに電子マネーの価値情報をチャージするので、利用者は価値情報のチャージの為に、自動チャージ機が設置された場所に出向く必要がない。そのため、利便性が向上する。
【００１２】
しかしながら、特許文献１及び特許文献２に記載のシステムは、利用者が送信するパスワード等の照合だけで、該利用者が預金口座の名義人であることや、携帯電話の契約者であることを確認しているので、不正を十分に防止できないという問題がある。
【００１３】
つまり、特許文献１及び特許文献２に記載のシステムは、預金口座の名義人あるいは携帯電話の契約者が非接触型ＩＣカードの名義人（利用者）と同一であるか否かについてのチェックを行わないので、他人の非接触型ＩＣカードへ価値情報が不正にチャージされることを防止できないという問題がある。
【００１４】
本発明は、このような背景の下でなされたものであり、リーダ・ライタ装置を備える携帯端末を使って、処理サーバ装置にアクセスする処理システムにおいて、不正なアクセスを抑制して、安全性の高い処理システムを提供することを目的とする。また、かかる処理システムを構成する処理サーバ装置並びにプログラムを提供することを目的とする。
【課題を解決するための手段】
【００１５】
本発明に係る処理システムは、少なくとも、非接触型ＩＣカード用のリーダ・ライタ装置を有する携帯端末と、通信回線を介して前記携帯端末に接続される処理サーバ装置と、を含む処理システムにおいて、前記処理サーバ装置は、携帯端末に固有の識別子と非接触型ＩＣカードに固有の識別子とのペアを、事前に登録する識別子登録手段と、前記携帯端末からアクセス要求があった場合に、当該携帯端末に固有の識別子と、当該携帯端末に装着された非接触型ＩＣカードに固有の識別子のペアを、前記識別子登録手段に登録された情報と照合して、当該ペアが前記識別子登録手段に登録されている場合に、当該携帯端末によるアクセスを許可するアクセス許可手段と、を備えることを特徴とする。
【００１６】
本発明に係る処理サーバ装置は、通信回線を介して、非接触型ＩＣカード用のリーダ・ライタ装置を有する携帯端末に接続される処理サーバ装置において、携帯端末に固有の識別子と非接触型ＩＣカードに固有の識別子とのペアを、事前に登録する識別子登録手段と、前記携帯端末からアクセス要求があった場合に、当該携帯端末に固有の識別子と、当該携帯端末に装着された非接触型ＩＣカードに固有の識別子のペアを、前記識別子登録手段に登録された記録と照合して、当該ペアが前記識別子登録手段に登録されている場合に、当該携帯端末によるアクセスを許可するアクセス許可手段と、を備えることを特徴とする。
【００１７】
本発明に係るプログラムは、通信回線を介して、非接触型ＩＣカード用のリーダ・ライタ装置を有する携帯端末に接続されるコンピュータにインストールされて、当該コンピュータを、携帯端末に固有の識別子と非接触型ＩＣカードに固有の識別子とのペアを、事前に登録する識別子登録手段と、前記携帯端末からアクセス要求があった場合に、当該携帯端末に固有の識別子と、当該携帯端末に装着された非接触型ＩＣカードに固有の識別子のペアを、前記識別子登録手段に登録された情報と照合して、当該ペアが前記識別子登録手段に登録されている場合に、当該携帯端末によるアクセスを許可するアクセス許可手段と、を備える処理サーバ装置として機能させることを特徴とする。
【発明の効果】
【００１８】
本発明によれば、携帯端末から送信される非接触型ＩＣカードに固有の識別子と当該携帯端末に固有の識別子のペアが、識別子登録手段に事前に登録されたペアと一致した場合に限って、処理サーバ装置へのアクセスを許可するので、不正なアクセスを抑制することができる。そのため、システムの安全性が向上する。
【図面の簡単な説明】
【００１９】
【図１】本発明の実施形態を示す処理システムの構成図である。
【図２】非接触型ＩＣカードの概念的な構成図である。
【図３】携帯電話機の概念的な構成図である。
【図４】携帯電話基地局の概念的な構成図である。
【図５】処理サーバ装置の概念的な構成図である。
【図６】処理サーバ装置の機能的な構成図である。
【図７】アクセス許可プログラムの概念的なフローチャートである。
【図８】操作メニュー提示プログラムの概念的なフローチャートである。
【図９】携帯電話機に表示される画像の例である。
【図１０】情報提示プログラムの概念的なフローチャートである。
【図１１】携帯電話機に表示される画像の例である。
【図１２】ポイント付替プログラムの概念的なフローチャートである。
【図１３】携帯電話機に表示される画像の例である。
【発明を実施するための形態】
【００２０】
以下、本発明の具体的な実施形態の一例を、図を参照しながら説明する。
【００２１】
図１に示すように、本発明の実施形態に係る処理システムは、非接触型ＩＣカード２が装着された携帯電話機３を、電話回線を介して処理サーバ装置１に接続して構成される。
【００２２】
処理サーバ装置１は、携帯電話機３と通信して、携帯電話装置３に情報を送信するコンピュータである。また、携帯電話機３と処理サーバ装置１の間には、携帯電話事業者が運営する携帯電話基地局４があって、携帯電話基地局４と処理サーバ装置１の間は、有線又は無線回線で接続されている。
【００２３】
非接触型ＩＣカード２は、図示しない電子マネーシステムの価値情報記録媒体であり、図２に示すように、無線部２１、ＣＰＵ２２、及びメモリ２３を備えて、前記電子マネーシステムを構成する自動チャージ機等（不図示）との間で通信を行って、価値情報及び付加情報を記録する。
【００２４】
携帯電話機３は、図３に示すように、無線部３１、音声やデータの変復調を行う変復調部３２、チャネルコーディック部３３、ＣＰＵ３４、及び音声処理部３５を備える携帯電話機であり、無線部３１を介して携帯電話基地局４に無線接続される。また、携帯電話機３は非接触ＩＣカードリーダ・ライタ装置３６を備えて、非接触型ＩＣカード２からのデータの読み出し、データの書き込みを行うことができる。
【００２５】
なお、ＣＰＵ３４には表示部３４ａ、操作部３４ｂ、ブザー３４ｃ及びメモリ３７が、音声処理部３５にはマイク３５ａ及びレシーバ３５ｂがそれぞれ接続されている。
【００２６】
携帯電話基地局４は、図４に示すように、無線部４１、変復調部４２、チャネルコーディック部４３及び音声処理部４４を直列に接続して構成されている。また、チャネルコーディック部４３にはＣＰＵ４５が接続され、ＣＰＵ４５にはメモリ４６が接続されている。更に音声処理部４４及びＣＰＵ４５には、回線インターフェース（Ｉ／Ｆ）４７が接続され、回線インターフェース４７は交換機４８に接続される。
【００２７】
処理サーバ装置１は、図５に示すように、回線インターフェース（Ｉ／Ｆ）１１、ＣＰＵ１２、操作部１３、表示部１４、及びメモリ１５からなるコンピュータであり、回線インターフェース（Ｉ／Ｆ）１１は携帯電話基地局４の交換機４８に接続される。
【００２８】
処理サーバ装置１は、以上のような物理的構成を有するが、ＣＰＵ１２に所定のプログラムをインストールし、メモリ１５を機能別に分割することによって、処理サーバ装置１は、図６に示すような機能的な構成を備える。すなわち、処理サーバ装置１は、アクセス許可部１０１、操作メニュー提示部１０２、情報提示部１０３及びポイント付替部１０４を備える。これらは、ＣＰＵ１２にインストールされたプログラムによって実現される機能モジュールであり、これらの機能モジュールの具体的な機能は、後述する。
【００２９】
また、処理サーバ装置１は、識別情報登録部１０５、価値情報記録部１０６、利用者情報記録部１０７、ポイント情報記録部１０８及び一時データ記録部１０９を備える。これらは、アクセス許可部１０１ないしポイント付替部１０４で参照される各種データを記録する情報記録手段であり、メモリ１５の記憶領域を分割して実現される。
【００３０】
識別情報登録部１０５は、アクセス許可部１０１で参照される識別情報を登録する情報記録手段である。ここで、識別情報とは、下記の表１に示すような、非接触型ＩＣカード２の固有の番号と携帯電話機３の電話番号のペアである。非接触型ＩＣカード２の利用者は、特定の非接触型ＩＣカード２について、処理サーバ装置１にアクセスする際には、特定の携帯電話機３を使用することを決めておいて、その特定の非接触型ＩＣカード２の固有の番号と特定の携帯電話機３の電話番号のペアを事業者に届け出るようにしていて、届けられたペアが識別情報登録部１０５に登録される。
【００３１】
【表１】
2010257432.tif 000003
【００３２】
価値情報記録部１０６には、非接触型ＩＣカード２の固有の番号と、その非接触型ＩＣカード２に、現にチャージされている利用可能残高（価値情報）が、表２に示すような形式で記録されている。
【表２】
2010257432.tif 000004
【００３３】
利用者情報記録部１０７には、非接触型ＩＣカード２の固有の番号と、その非接触型ＩＣカード２の利用者情報（例えば、利用者の氏名）が、表３に示すような形式で記録されている。
【表３】
2010257432.tif 000005
【００３４】
ポイント情報記録部１０８には、非接触型ＩＣカード２に付与されているプレミアムポイントが、表４に示すような形式で記録されている。
【表４】
2010257432.tif 000006
【００３５】
一時データ記録部１０９は、非接触型ＩＣカード２に付与されているプレミアムポイントを、他の非接触型ＩＣカード２に付け替えるときに、そのプレミアムポイントが一時的に記録される。
【００３６】
さて、前述したように、処理サーバ装置１のＣＰＵ１２には、所定のプログラムがインストールされて、これらのプログラムを実行することによって、アクセス許可部１０１等の機能モジュールが機能する。そこで、ＣＰＵ１２にインストールされるプログラムを、前述の機能モジュールと対応させながら説明する。
【００３７】
非接触型ＩＣカード２の利用者が、処理サーバ装置１にアクセスしようとするとき、利用者は、その非接触型ＩＣカード２を携帯電話機３の非接触型ＩＣカードリーダ・ライタ装置３６（図３参照）に装着して、携帯電話基地局４（図１、図４参照）を介して、処理サーバ装置１を呼び出すと、アクセス許可プログラムが起動される。
【００３８】
アクセス許可プログラムは、ＣＰＵ１２にインストールされて、アクセス許可部１０１（図６参照）の機能を実現するプログラムである。以下、図７を参照しながらアクセス許可プログラムによる処理を説明する。
【００３９】
アクセス許可プログラムが起動されると、処理サーバ装置１は、携帯電話機３に識別情報、つまり、携帯電話機３に装着された非接触型ＩＣカード２固有のカード番号と携帯電話機３の電話番号を送信するように要求する（ステップＳ０１）。
【００４０】
携帯電話機３から送信されたカード番号と電話番号を受信すると、処理サーバ装置１は、そのカード番号と電話番号のペアを、識別情報登録部１０５（図６参照）に登録されている情報と照合する（ステップＳ０２）。つまり、携帯電話機３から送信された、カード番号と電話番号のペアが、利用者が電子マネーシステムへの加入する際に届け出られて、識別情報登録部１０５に登録されたカード番号と電話番号のペアと一致するか否かを調べる。
【００４１】
携帯電話機３から送信されたカード番号と電話番号のペアが、識別情報登録部１０５に登録されたカード番号と電話番号のペアが一致すれば（ステップＳ０３：ＹＥＳ）、処理サーバ装置１は、携帯電話機３からのアクセスを許可して、操作メニュー提示プログラムを起動（ステップＳ０４）して、アクセス許可プログラムによる処理を終える。
【００４２】
一方、携帯電話機３から送信されたカード番号と電話番号のペアが、識別情報登録部１０５に登録されたカード番号と電話番号のペアと一致しなければ（ステップＳ０３：ＮＯ）、処理サーバ装置１は、携帯電話機３からのアクセスを拒絶して（ステップＳ０５）、つまり処理サーバ装置１と携帯電話機３の間の通信を遮断して、アクセス許可プログラムによる処理を終える。
【００４３】
さて、操作メニュー提示プログラムは、ＣＰＵ１２にインストールされて、操作メニュー提示部１０２（図６参照）の機能を実現するプログラムであり、前述したように、アクセス許可プログラムのステップＳ０４を実行すると起動される。以下、操作メニュー提示プログラムによる処理を、図８を参照しながら説明する。
【００４４】
操作メニュー提示プログラムが起動されると、処理サーバ装置１は携帯電話機３に操作メニューを送信する（ステップＳ１１）。携帯電話機３が操作メニューを受信すると、携帯電話機３の表示部３４ａには、図９に示すような画像が表示され、利用者は、その画像に従って、操作部３４ｂを操作する。すなわち、利用者が各種情報の提示を求める場合は、”１”のキーを、プレミアムポイントの付け替えを求める場合は、”２”のキーをそれぞれ押し下げる。
【００４５】
利用者が”１”のキーを押し下げると（ステップＳ１２：ＹＥＳ）、処理サーバ装置１は、情報提示プログラムを起動して（ステップＳ１３）、操作メニュー提示プログラムによる処理を終わる。
【００４６】
利用者が”２”のキーを押し下げると（ステップＳ１４：ＹＥＳ）、処理サーバ装置１は、ポイント付替プログラムを起動して（ステップＳ１５）、操作メニュー提示プログラムによる処理を終わる。
【００４７】
利用者が”１”、”２”以外のキーを押し下げた場合（ステップＳ１２：ＮＯ）、（ステップＳ１４：ＮＯ）、あるいは所定の時間内に操作部３４ｂを操作しなかった場合は、処理サーバ装置１は、携帯電話機３からのアクセスを終了して（ステップＳ１６）、つまり処理サーバ装置１と携帯電話機３の間の通信を遮断して、処理を終える。
【００４８】
情報提示プログラムは、ＣＰＵ１２にインストールされて、情報提示部１０３（図６参照）の機能を実現するプログラムであり、前述したように、メニュー提示プログラムのステップＳ１３を実行すると起動される。以下、情報提示プログラムによる処理を、図１０を参照しながら説明する。
【００４９】
情報提示プログラムが起動されると、処理サーバ装置１は携帯電話機３に操作メニューを送信する（ステップＳ２１）。
【００５０】
携帯電話機３が操作メニューを受信すると、携帯電話機３の表示部３４ａには、図１１に示すような画像が表示され、利用者は、その画像に従って、操作部３４ｂを操作する。すなわち、利用者が価値情報の提示を求める場合は、”１”のキーを、利用者情報の提示を求める場合は、”２”のキーを、プレミアムポイントの提示を求める場合は、”３”のキーをそれぞれ押し下げる。
【００５１】
利用者が”１”のキーを押し下げると（ステップＳ２２：ＹＥＳ）、処理サーバ装置１は、価値情報記録部１０６（図６参照）から、携帯電話機３に装着されている非接触型ＩＣカード２に係る価値情報を読み出して、携帯電話機３に送信（ステップＳ２３）して、
情報提示プログラムによる処理を終わる。また、価値情報を受信した携帯電話機３はそれを表示部３４ａに表示する。
【００５２】
利用者が”２”のキーを押し下げると（ステップＳ２４：ＹＥＳ）、処理サーバ装置１は、利用者情報記録部１０７（図６参照）から、携帯電話機３に装着されている非接触型ＩＣカード２に係る利用者情報を読み出して、携帯電話機３に送信（ステップＳ２５）して、情報提示プログラムによる処理を終わる。また、利用者情報を受信した携帯電話機３はそれを表示部３４ａに表示する。
【００５３】
利用者が”３”のキーを押し下げると（ステップＳ２６：ＹＥＳ）、処理サーバ装置１は、ポイント情報記録部１０８（図６参照）から、携帯電話機３に装着されている非接触型ＩＣカード２に付与されているプレミアムポイントを読み出して、携帯電話機３に送信（ステップＳ１７）して、情報提示プログラムによる処理を終わる。また、プレミアムポイントを受信した携帯電話機３はそれを表示部３４ａに表示する。
【００５４】
利用者が”１”、”２”、”３”以外のキーを押し下げた場合（ステップＳ２２：ＮＯ）、（ステップＳ２４：ＮＯ）、（ステップＳ２６：ＮＯ）、あるいは所定の時間内に操作部３４ｂを操作しなかった場合は、処理サーバ装置１は、携帯電話機３からのアクセスを終了して、つまり処理サーバ装置１と携帯電話機３の間の通信を遮断（ステップＳ２８）して、処理を終える。
【００５５】
ポイント付替プログラムは、ＣＰＵ１２にインストールされて、ポイント付替部１０４（図６参照）の機能を実現するプログラムであり、前述したように、メニュー提示プログラムのステップＳ１５を実行すると起動される。以下、ポイント付替プログラムによる処理を、図１２を参照しながら説明する。
【００５６】
ポイント付替プログラムが起動されると、処理サーバ装置１は携帯電話機３に操作メニューを送信する（ステップＳ３１）。携帯電話機３が操作メニューを受信すると、携帯電話機３の表示部３４ａには、図１３に示すような画像が表示され、利用者は、その画像に従って、操作部３４ｂを操作して、付け替えるポイントと付け替え先のカードを指定する。
【００５７】
付け替えるポイントと付け替え先のカードを、処理サーバ装置１が受信すると、ポイント情報記録部１０８（図６参照）から、携帯電話機３に装着されている非接触型ＩＣカード２に付与されているプレミアムポイントの内、利用者が指定したポイントを取り出して、一時データ記録部１０９（図６参照）に書き込む（ステップＳ３２）。
【００５８】
次に、処理サーバ装置１は、一時データ記録部１０９に書き込まれたプレミアムポイントを付け替える非接触型ＩＣカード２を携帯電話機３に装着するように要求するメッセージを携帯電話機３に送信する（ステップＳ３３）。メッセージを受信した携帯電話機３は、そのメッセージを表示部３４ａに表示して、利用者に非接触型ＩＣカード２の差し替えを促す。そして、利用者は付替え先の非接触型ＩＣカード２を携帯電話機３の非接触型ＩＣカードリーダ・ライタ装置３６（図３参照）に装着する。
【００５９】
付け替え先の非接触型ＩＣカード２が携帯電話機３に装着されたら、その非接触型ＩＣカード２に固有のカード番号と携帯電話機３の電話番号のペアを、識別情報登録部１０５（図６参照）に登録された情報と照合し、カード番号と電話番号のペアが識別情報登録部１０５に登録されていなければ（ステップＳ３４：ＮＯ）、ステップＳ３３に戻って、再度、利用者に非接触型ＩＣカード２の差し替えを促す。
【００６０】
カード番号と電話番号のペアが識別情報登録部１０５に登録されていれば（ステップＳ３４：ＹＥＳ）、先に一時データ記録部１０９に書き込まれたポイントを、ポイント情報記録部１０８の、付け替え先の非接触型ＩＣカード２に付与されているプレミアムポイントに加算する（ステップＳ３５）。
【００６１】
最後に、一時データ記録部１０９に書き込まれたポイントを消去して（ステップＳ３６）、処理を終える。
【００６２】
以上説明したように、処理サーバ装置１は、識別情報登録部１０５を備えて、携帯電話機３に固有の識別子（電話番号）と非接触型ＩＣカード２に固有の識別子（固有の番号）のペアを登録している。また、処理サーバ装置１はアクセス許可部１０１を備えて、処理サーバ装置１に接続された携帯電話機３に固有の識別子（電話番号）とその携帯電話機３に装着された非接触型ＩＣカード２に固有の識別子（固有の番号）のペアを識別情報登録部１０５に登録されたペアと照合して、同一のペアが識別情報登録部１０５に登録されている場合にだけ、以後のアクセスを許可している。そのため、不正なアクセスが抑制され、処理システムの安全性が向上する。
【００６３】
なお、本発明の技術的範囲は、上記実施形態に限定されるものではない。特許請求の範囲に記載された技術的思想の範囲において、応用、変形、改良して実施することができる。
【００６４】
例えば、上記実施形態に係る処理サーバ装置１では、携帯電話機３に固有の識別子（電話番号）と非接触型ＩＣカード２に固有の識別子（固有の番号）のペアを照合して、アクセスを許可しているが、これに、他の保護手段（例えば、パスワードの入力と照合、生体認証など）を追加することは任意である。
【００６５】
また、上記実施形態では、非接触型ＩＣカード２を電子マネーの記録媒体として使用する場合を例にしたが、本発明の対象は電子マネーの記録媒体として使用される非接触型ＩＣカードには限定されない。身分証や会員証あるいはプレミアムポイントの記録媒体など各種の用途に使用される非接触型ＩＣカードについて本発明を適用することができる。
【００６６】
また、上記実施形態では、携帯端末の例として携帯電話機３を示したが、本発明の携帯端末は携帯電話機３に限定されない。通信回線を介して処理サーバ装置に接続可能な端末であれば、種類や形式は問われない。例えば、インターネットを介して処理サーバ装置に接続される携帯型パーソナルコンピュータ等も携帯端末として使用することができる。
【００６７】
また、上記実施形態では、処理サーバ装置１に所定のプログラムをインストールして、アクセス許可部１０１等の機能を実現する例を示したが、本発明の処理サーバ装置は、このような汎用のハードウェアと専用のソフトウェアを組み合わせた装置には限定されない。アクセス許可部１０１等を専用のハードウェアで構成してもよい。
【産業上の利用可能性】
【００６８】
本発明は、例えば、電子マネーとして使用される非接触型ＩＣカードを装着した携帯端末（携帯電話等）を使って、その非接触型ＩＣカードに係る各種情報を照会する処理システム、及び該処理システムを構成する処理サーバ装置として有用である。
【符号の説明】
【００６９】
１  処理サーバ装置
２  非接触型ＩＣカード
３  携帯電話機
４  携帯電話基地局
１１  回線インターフェース
１２  ＣＰＵ
１３  操作部
１４  表示部
１５  メモリ
２１  無線部
２２  ＣＰＵ
２３  メモリ
３１  無線部
３２  変復調部
３３  チャネルコーディック部
３４  ＣＰＵ
３５  音声処理部
３６  非接触ＩＣカードリーダ・ライタ装置
４１  無線部
４２  変復調部
４３  チャネルコーディック部
４４  音声処理部
４５  ＣＰＵ
４６  メモリ
４７  回線インターフェース
４８  交換機
１０１  アクセス許可部
１０２  操作メニュー提示部
１０３  情報提示部
１０４  ポイント付替部
１０５  識別情報登録部
１０６  価値情報記録部
１０７  利用者情報記録部
１０８  ポイント情報記録部
１０９  一時データ記録部
【図１】
2010257432.tif 000007
【図２】
2010257432.tif 000008
【図３】
2010257432.tif 000009
【図４】
2010257432.tif 000010
【図５】
2010257432.tif 000011
【図６】
2010257432.tif 000012
【図７】
2010257432.tif 000013
【図８】
2010257432.tif 000014
【図９】
2010257432.tif 000015
【図１０】
2010257432.tif 000016
【図１１】
2010257432.tif 000017
【図１２】
2010257432.tif 000018
【図１３】
2010257432.tif 000019